(57)【特許請求の範囲】
【請求項１】
径の大きさやピッチなどが異なる複数の螺子構造の種別を判別するために、判別ボードに前記判別対象とする雌螺子に対応する雄螺子が係止されていると共に前記判別ボードには雌螺子の判別ができる表記がなされている螺子判別用器具であって、
前記雄螺子の判別ボードへの係止が、判別ボードに対して雄螺子が軸方向に相対移動可能に係止されていることを特徴とする螺子判別用器具。
【請求項２】
請求項１に記載の螺子判別用器具であって、
前記雄螺子はボルトであって、該ボルトはその軸部が判別ボードに穿設された貫通孔に挿通されており、その軸部にナットを螺合することでボルトの頭部とナットの間に判別ボードが位置するようにし、前記貫通孔はボルトの頭部及びナットが通過できない形状であることにより、判別ボードに対してその軸方向に相対移動可能に係止されていることを特徴とする螺子判別用器具。
【請求項３】
請求項２に記載の螺子判別用器具であって、
前記判別ボードには、前記ボルトのピッチ以上の厚みを有し、前記ボルトの軸は挿通可能であるが頭部は挿通不可とする孔を形成したボルト挿通促進部を備えることを特徴とする螺子判別用器具。
【請求項４】
請求項１乃至３のいずれか一項に記載の螺子判別用器具であって、
前記判別ボードには、前記螺子部が挿通可能であり螺子部の軸回り方向の回転を抑制可能な回転防止部を備えていることを特徴とする螺子判別用器具。
【発明の詳細な説明】
【技術分野】
【０００１】
本発明は、螺子の種類を判別する際に使用される螺子判別用器具に関する、特に、一般消費者が保有している螺子の種類を販売店にて判別する際に使用される螺子判別用器具に関する。
【背景技術】
【０００２】
家庭で使用しているボルトやナットなどの螺子部材が破損したりした場合、一般消費者が同等品を求めて販売店に来ることは従来から行われている。その際、購入の目印として、当該ボルトやナットを販売店まで持ち込んで購入品を選定することも行われていた。
しかし、一般消費者がボルトやナットなどの螺子部材を購入する際、どの螺子部材を購入したらよいのかが十分に理解しづらかった。というのも、螺子部材は螺子径が多様であることに加え、螺子のピッチが一様でないからである。
このような不便を解消するため、ボルトやナットの販売店には螺子判別用器具が備えられて、破損等したボルトやナットを持参すれば、螺子判別用器具によりその種別を判別して同じ種類のボルトやナットを間違いなく調達できるようにしている。この螺子判別用器具は、アルミニウム製や鉄製のボードに螺子判別用の螺子部として高硬度の雄螺子を溶接したり、タップ加工などにより設けた螺子溝を有する孔を付設したりしたものであり、前記ボードの螺子判別用の螺子部近傍には、螺子判別用の螺子部と螺合可能な螺子に関する記号などの判別のための表記がされている。
このような螺子判別用器具を利用すれば、一般消費者は販売店まで持ち込んだ螺子が螺子判別用器具に付設された螺子のいずれと適合するのかを確認することができ、購入する螺子を容易に判別することができる。
なお、上述した螺子判別用器具に関する文献を調査したが、適切な文献は見当たらなかった。例えば、特許電子図書館を利用して検索を行ったが、関連する技術が記載されている公報は見当たらなかった。そのため、本発明に関連する文献公知発明は提示することができなかった。
【発明の概要】
【発明が解決しようとする課題】
【０００３】
上述した螺子判別用器具において、雌螺子を判別できる螺子判別用器具はボードに雄螺子を溶接で付設させて製作したものである。溶接で付設された雄螺子は使用時に移動が困難であることから、大きな部材内に配置された雌螺子と当該螺子判別用器具の雄螺子を螺合させようとする際に、螺合させる雄螺子に隣接する雄螺子が障害となる場合が生じた。
このような不具合を改善するために雄螺子同士の間隔を大きくするとしても、どの程度まで大きくすれば、十分であるといえるのかは不明であり、さらには雄螺子同士の間隔を大きくするだけボードも大きくせねばならず、設置スペースや部材にかかる費用を考慮すると、雄螺子同士の間隔を単に大きくするという手段を選択することは最善策といえるものではなかった。
【０００４】
而して、本発明は、上述した点に鑑みて創案されたものであって、本発明が解決しようとする課題は、複数の雄螺子が隣接配置された螺子判別用器具を雌螺子の判別に使用する際に、隣接する雄螺子が、判別の障害にならないようにすることにある。
【課題を解決するための手段】
【０００５】
本発明は、このような課題を解決しようとするものであって、次の手段をとる。
本発明の第１の発明は、径の大きさやピッチなどが異なる複数の雌螺子構造の種別を判別するために、判別ボードに前記判別対象とする雌螺子に対応する雄螺子が係止されていると共に該雄螺子が係止された位置には雌螺子の判別ができる表記がされている螺子判別用器具であって、
前記雄螺子の判別ボードへの係止が、判別ボードに対して雄螺子が軸方向に相対移動可能に係止されていることを特徴とする。
【０００６】
上記した発明によれば、判別に使用したい雄螺子をその周囲の雄螺子よりも相対的に判別ボード面より前方に位置させることが可能となり、雌螺子と雄螺子を螺合させる際に周囲の雄螺子が障害になることを防ぐことができる。
【０００７】
本発明の第２の発明は、前記雄螺子はボルトであって、該ボルトはその軸部が判別ボードに穿設された貫通孔に挿通されており、その軸部にナットを螺合することでボルトの頭部とナットの間に判別ボードが位置するようにし、前記貫通孔はボルトの頭部及びナットが通過できない形状であることにより、判別ボードに対してその軸方向に相対移動可能に係止されていることを特徴とする。
【０００８】
上記した発明によれば、ボルトを雄螺子として使用するうえ、ボルトと判別ボードを係止するためにナットを使用するが、ボルト及びナットは比較的安価で入手しやすい部材であるので、螺子部の破損時に補修しやすくなる。また、貫通孔にボルトを挿通している構造であるので、ボルトが回転可能であることから、判別したい雌螺子を回転させずとも、ボルトを回転させることで前記雌螺子と螺合することが可能である。これは比較的大型の構造物に付属する雌螺子を判別したい際には、特に効果を発揮する。というのは、比較的大型の構造物である場合、回転させることが困難な場合もあるが、そのような場合でも判別ボードに付属するボルトを回転させることで、螺合の確認が可能となるからである。
【０００９】
本発明の第３の発明は、前記判別ボードには、前記ボルトのピッチ以上の厚みを有し、前記ボルトの軸は挿通可能であるが頭部は挿通不可とする孔を形成したボルト挿通促進部を備えることを特徴とする。
【００１０】
上記した発明によれば、判別ボードにボルト挿通促進部が設けられているため、ボルトと判別ボードの相対位置を変位させる際に、孔を構成する部材がボルトのピッチ溝内に噛み込むことがなく、スムーズな変位が可能となる。
【００１１】
本発明の第４の発明は、前記判別ボードには、螺子部が挿通可能であり螺子部の軸回り方向の回転を抑制可能な回転防止部を備えることを特徴とする。
【００１２】
上記した発明によれば、螺合時における雄螺子の軸回り方向の回転を抑制することができるので、雄螺子を回転させないように使用者が保持しなくともよくなる。
【発明の効果】
【００１３】
本発明は上記した手段をとることにより、複数の雄螺子が隣接配置された螺子判別用器具を雌螺子の判別に使用する際に、隣接する雄螺子が、判別の障害にならないようにすることが可能となる。
【図面の簡単な説明】
【００１４】
【図１】本発明の実施例の組立図である。
【図２】本発明の実施例の分解斜視図である。
【図３】図１のＡ−Ａ断面図（螺合させる端部を判別ボードから遠ざけた場合）である。
【図４】図１のＡ−Ａ断面図（螺合させる端部を判別ボードに近づけた場合）である。
【図５】図１のＢ−Ｂ断面図である。
【発明を実施するための形態】
【００１５】
以下に、本発明に係る螺子判別用器具の実施形態を、図面を用いて説明する。
図１は螺子判別用器具１０の全体斜視図を示す。この図１に示されるように、螺子判別用器具１０は判別ボード１とボルト２とからなっている。判別ボード１は、前面ボード１１、中間ボード１２、背面ボード１３とからなっている。中間ボード１２は複数枚の個別ボードが重ね合わされて構成されている。前面ボード１１には表記１１１用のシールが貼付されている。表記１１１はナット等の雌裸子の種類を明示するものである。ボルト２は本発明で言う判別対象とする雌螺子に対応する雄螺子であって、判別ボード１に穿設された貫通孔１６（図２参照）に挿通して配設されている。ボルト２は判別ボード１の厚みより長く形成されたものが用いられており、前面ボード１１より突出した軸部の螺子部位には固定ナット１５が螺合固定されて取り付けられている。この固定ナット１５の取付け位置は、ボルト２が判別ボード１に対してその軸方向に相対移動可能な位置とされている。これによりボルト２は判別ボード１に対して相対移動可能に係止された状態とされる。
なお、判別対象とするナット等の雌螺子は、前面ボード１１から突出したボルト２の先端軸部に螺合させることにより種類を判別可能であり、適切に螺合できたボルト２の箇所の表記により、その種類が認知される。
【００１６】
上記構成をより詳しく説明する。判別ボード１は前面ボード１１、中間ボード１２及び背面ボード１３が順に積層された積層体として構成されている。前面ボード１１はステンレス製の板状ボードであり、幅方向（図１で見て上下方向）の両端部が直角に折れ曲がったフランジ形状に形成されており、断面形状がコ字形状とされている。前面ボード１１の外面側には螺子の判別ができる表記１１１用のシール部材が貼付されている。中間ボード１２は主に厚紙製の板状ボードであり、同じ厚みのボードが複数枚重ね合わされて構成されている。なお、中間ボード１２も必要に応じてステンレス製のボードが用いられることもある。背面ボード１３は中間ボード１２を前面ボード１１と一緒に挟み込むステンレス製のボードである。背面ボード１３も基本形状は前面ボード１１と同じ断面コ字形状に形成されており、幅方向の両端部が直角に折れ曲がったフランジ形状とされている。しかし、前面ボード１１と左右逆に形成された配置関係となっている。
【００１７】
ボルト２が判別ボード１に相対移動可能に係止される構成は、判別ボード１に穿設された貫通孔１６にボルト２を挿入し、当該ボルト２の軸部に固定ナット１５を螺合させ、当該ボルト２と固定ナット１５の間に判別ボード１が位置するようにし、かつ、ボルト２が判別ボード１に対して軸方向に相対移動可能になる位置で固定ナット１５を軸部に接着固定することで構成される。この際、ボルト２の軸部の先端部に判別対象とするナット等の雌螺子が螺合可能なように配慮される。このため、固定ナット１５のボルト２の軸部への固定位置はボルト２の先端部になり過ぎないようにされる。なお、判別ボード１に穿設された貫通孔１６の近傍位置には、貫通孔１６に係止されるボルト２に対応する雌螺子としてのナットの種別を表記１１１したシール部材が貼付されている。
なお、上記の例では、判別ボード１に係止させる雄螺子が頭部を有するボルト２の場合であったが、長螺子のような頭部の無い雄螺子を使用することも可能である。その場合には、当該雄螺子に関し判別ボード１の両外側に固定ナットを設けることで判別ボード１から抜け落ちないように固定して係止する必要がある。
【００１８】
前面ボード１１と背面ボード１３との間には中間ボード１２が配設されている。中間ボード１２は図２の例では１０枚の個別ボードから成っている。これら前面ボード１１、中間ボード１２、背面ボード１３には貫通孔１６が穿けられている。中間ボード１２の中央部位置に積層される６枚の個別ボードの貫通孔１６は丸孔１６ａとして形成されている。この丸孔１６ａの径の大きさは、ボルト２の軸部は通すが、ボルト２の頭部及び固定ナット１５は通さない大きさとされている。前面ボード１１と背面ボード１３及びこれらと隣接して配設される２枚の個別ボードの貫通孔１６は六角形状孔１６ｂとして形成されている。前面ボード１１及びこれに隣接して配設される２枚の個別ボードの六角形状孔１６ｂは固定ナット１５の六角形状に対応した形状で形成されており、固定ナット１５がこの六角形状孔１６ｂに嵌合可能とされている。そして、嵌合した状態においては固定ナット１５の回り止めの機能を果たす。同様に、背面ボード１３及びこれに隣接して配設される２枚の個別ボードの六角形状孔１６ｂはボルト２の頭部の六角形状に対応した形状で形成されており、ボルト２の頭部がこの六角形状孔１６ｂに嵌合可能とされている。そして、嵌合した状態においてはボルト２の回り止めの機能を果たす。したがって、本実施形態では六角形状孔１６ｂが形成された前面ボード１１と背面ボード１３及びこれらと隣接して配設される２枚の個別ボードが本発明で言う判別ボード１における回転防止部を構成している。
なお、判別ボード１における回転防止部は、表裏面に配設される前面ボード１１又は背面ボード１３の厚みが厚い場合には、前面ボード１１又は背面ボード１３のみで構成することもできる。しかし、判別ボード１の貫通孔１６に係止されるボルト２の頭部の厚みや固定ナット１５の厚みは異なっていることがあるので、係止されるボルト２や固定ナット１５に応じて中間ボード１２に穿設される貫通孔１６の孔形状を適宜選択調整して回転防止部とするのが良い。
また、中間ボード１２として上記六角形状孔１６ｂを有する厚紙製ボードと共に六角形状孔１６ｂを有するステンレス製の個別ボードを積層することで、ボルト２や固定ナット１５の回転を抑制することも可能である。その場合には、当該ステンレス製の個別ボードも回転防止部となる。
【００１９】
上記中間ボード１２のうち丸孔１６ａを形成した個別ボードを積層した部分の厚みは、挿通されるボルト２のピッチ以上の厚みとして形成されている。これによりボルト２が貫通孔１６を軸方向に移動する際にスムーズに移動することが可能となる。これは丸孔１６ａを形成した個別ボードを積層した部分の厚みがボルト２のピッチ以下の厚みであると、ボルト２のピッチ溝内に丸孔１６ａを形成した個別ボードを積層した部分が嵌りこみ、スムーズな移動の妨げとなるためである。したがって本実施形態では、丸孔１６ａを形成した個別ボードをボルト２のピッチ以上の厚みとなるように積層した部分が、本発明で言う判別ボード１におけるボルト挿通促進部となっている。
判別ボード１として上記のようなボルト挿通促進部を構成することは、判別ボード１を図１に示すいわゆる横向き状態で使用する場合に特に有効である。すなわち、このような場合、ボルト２の螺子の谷部にボードが嵌まり込み、スムーズな相対移動ができにくいが、ボルト挿通促進部が配設されていることによりスムーズに移動させることができる。また、判別ボード１全体の厚みを増すことで、よりスムーズな移動をさせることも可能となる。中間ボード１２の１枚のボードのみでも上記機能が達成できる場合もあるが、複数枚積層することでボルト挿通促進部としての機能を達成することも可能である。後者であれば、螺子判別用器具に備える雄螺子の種類により積層枚数を変更することも可能となる。
なお、ボルト挿通促進部に形成される貫通孔１６は丸孔１６ａに形成することが必須であるわけではなく、ボルト２と判別ボード１の相対移動がスムーズになされることを補助できる形状であれば良い。本実施形態では、ボルト挿通促進部に形成される丸孔１６ａは前述もしたようにボルト２が判別ボード１より抜け落ちない機能も併せ持っている。
【００２０】
背面ボード１３は前面ボード１１と共に中間ボード１２を分解可能に固定することが可能となっている。前面ボード１１と背面ボード１３は中間ボード１２を挟んで締結部材２０で締結固定している。本実施形態では締結部材２０はボルト、ナットが用いられており、判別ボード１の四隅を含む八箇所で締結している。
なお、本実施形態では、背面ボード１３と前面ボード１１をステンレス製にしているので、中間ボード１２を厚紙製としても、螺子判別用器具１０全体としては、外部からの衝撃による破損が生じにくい構造となっている。
【００２１】
次に、判別ボード１及び判別ボード１に雄螺子としてのボルト２を係止させる組立構成を図を用いて説明する。
図２に示すように、複数の貫通孔１６が穿設され、幅方向の両端部をフランジ形状に直角に折り曲げた厚さ１ｍｍのステンレス製のボードを２枚用意する。１枚目のボードは判別ボード１の前面側に使用される前面ボード１１であり、その貫通孔１６はボルト２の頭部を嵌めこみ可能で、かつ、ボルト２の回転を抑制する機能をもたせるため、ボルト２の頭部と略同じであるが若干大きな六角形状孔１６ｂに形成されている。そして、該貫通孔１６の近傍には螺子の判別が可能な表記１１１がなされるように、当該前面ボード１１の表面に該表記がなされたシール部材が貼付されている。
２枚目のボードは判別ボード１の裏面側に使用される背面ボード１３であり、その貫通孔１６は前面ボード１１と同様の六角形状孔１６ｂとされている。そして、当該前面ボード１１及び背面ボード１３間に挟持される中間ボード１２を用意する。中間ボード１２は１０枚の個別ボードからなっており、個々の個別ボード厚さは１ｍｍである。この個別ボードにも前面ボード１１及び背面ボード１３の貫通孔１６と対応する位置に貫通孔１６が穿設されている。個別ボードの貫通孔１６の形状は、前面ボード１１及び背面ボード１３と同じ六角形状孔１６ｂのものがそれぞれに隣接した２枚の計４枚であり、丸孔１６ａを形成したものが６枚である。
【００２２】
前面ボード１１、中間ボード１２、背面ボード１３を重ね合わせる際には、図２に示すように、前面ボード１１の裏側には貫通孔１６が前面ボード１１と同様の六角形状孔１６ｂとされた個別ボードを２枚重ね合わせる。そのうち１枚がステンレス製で、もう１枚が厚紙製である。そして、当該六角形状孔１６ｂを有する個別ボードに沿うように、特定のボルト２の軸部よりも大きくて、ボルト２の頭部を通過させない丸孔１６ａが形成されている厚紙製の個別ボードを６枚重ね合わせる。その後、更に六角形状孔１６ｂを有する個別ボード２枚（ステンレス製を１枚、厚紙製を１枚）を重ね合わせる。最後に背面ボード１３を重ね合わせる。当該積層体は図２に示すように、判別ボード１の四隅を含む八箇所でボルト、ナットの締結部材２０で締結固定している。なお、当該固定はロックタイト（商標）を塗布して、接着固定も行っている。
【００２３】
上記のように構成された判別ボード１の貫通孔１６にはボルト２が係止される。この貫通孔１６に係止されるボルト２は、例えば、その頭部の厚みが５mm程度で軸部の長さが４０ｍｍ程度である軟鋼製のボルト２である。このボルト２を背面ボード１３側からその軸部を挿入し、ボルト２の頭部が丸孔１６ａを有する個別ボードの一面と接する位置まで押し込む。当該状態では前面ボード１１のシール貼り付け面側にボルト２の軸部の先端部が３１ｍｍ程度突出した状態とされている。この突出した軸部に厚みが５mm程度の固定ナット１５を螺合させて、軸部の先端部から１５ｍｍ付近に固定ナット１５の端面が位置する状態としてボルト２と固定ナット１５をロックタイト（商標）を塗布して接着固定する。これによりボルト２は判別ボード１の貫通孔１６に相対移動可能に係止される。この状態では、ボルト２は最大１１ｍｍ程度、判別ボード１に対して前後方向に移動することが可能となっている。つまり、使用者は使用したいボルト２の端部をできるだけ判別ボード１から遠ざけるようにし（図３参照）、その近傍にある使用しないボルト２の端部をできるだけ判別ボード１に近づけるようにすることで（図４参照）、使用するボルト２の端部の位置が周囲のボルト２よりも１１ｍｍ程度突出することになり（図５参照）、螺合時に周囲のボルト２が障害になることを防ぐことが可能となる。
また、丸孔１６ａを有する個別ボードは６枚積層されているので６ｍｍ程度の深さの貫通孔１６が形成されることになる。当該構成であることにより、ボルト２の軸方向への移動がスムーズになる。というのも、ボルト２の溝ピッチよりも大きなボードの厚みとなることでボルト２がボードに嵌らなくなるようになることに加えて、ある程度の深さ方向の貫通孔１６があることにより、ボルト２はボードに対して略垂直に位置するようになり、さらにボルト２の溝ピッチにボードが嵌りにくくなるからである。
また、使用するボルト２の端部のいずれかを判別ボード１に近づけるように相対移動させると、ボルト２の頭部若しくは固定ナット１５がステンレス製のボード及び／又は厚紙の六角形状孔１６ｂに嵌るため、ボルト２や固定ナット１５が回転することを抑制することができる。
【００２４】
以上、本発明の実施形態について説明したが、本発明は上記のほか各種の形態で実施可能なものである。
例えば、前面ボード若しくは背面ボードのいずれか若しくは双方の貫通孔を六角形状ではなく、四角形やトラック形などにし、その孔の一部分でボルトやナットの回転を抑制できるようにすることも可能である。
また、ボルトやナットの回転の抑制を行う必要性までは無いため、前面ボード若しくは背面ボードのいずれか若しくは双方の貫通孔について、ボルトの軸は通るが、頭部は通らない形状とすることも可能である。
また、ボルトの軸の長さを一様にする必要性は無く、ボルトの長さや頭部の厚みやボルトとナットの固定位置は任意に定めることができる。
また、軸径が大きいボルトだけ、相対移動が可能にし、軸径が小さいボルトは相対移動しない構造にすることも可能である。
また、中間ボードについては、すべてを紙製にしてもよく、紙製の変わりに樹脂製としても良い。
また、判別ボードとしては前面ボードを最低限有していればよく、中間ボードや背面ボードを採用しない構造も可能である。
また、判別ボードに付する表記に関してはシールを貼り付けて構成する必要性は無く、判別ボードに書き込む構成にすることや、掘り込む構成にすることも可能である。
また、積層体を構成する要素の厚みや枚数は実施例にこだわる必要性は無く、適宜定めることが可能である。
【００２５】
また、雄螺子は軸全体に螺子構造がある全螺子を使用しても、雄螺子の端部から一定の距離だけ螺子構造がある半ねじを使用してもよい。
また、雄螺子は軟鋼性である必要性は無く、ステンレスや樹脂などの公知の材質が使用可能である。
また、前面ボード及び／又は背面ボードの幅方向の両側をフランジ状に折り曲げ形成した折り曲げ部は必ずしも設ける必要は無い。しかし、折り曲げ部を設けているとボードの剛性が高まるので、より好ましい。
また、前面ボードに設けた孔の形状は雄螺子の回転を抑制できない形状としても良いが、前面ボードに設けた孔の形状が雄螺子の回転を抑制可能な形状であれば、判別ボードを斜めに配置した際に、雄螺子に付したナットが重力の作用により前面ボードの孔に嵌りこみ、自動的に雄螺子の回転を抑制することが可能となるので、より好ましい。
【符号の説明】
【００２６】
１      判別ボード
２      ボルト（雄螺子）
１０    螺子判別用器具
１１    前面ボード
１２    中間ボード
１３    背面ボード
１５    固定ナット
１６    貫通孔
１６ａ  丸孔
１６ｂ  六角形状孔
２０    締結部材
１１１  表記
【図１】
0005378572.tif 000002
【図２】
0005378572.tif 000003
【図３】
0005378572.tif 000004
【図４】
0005378572.tif 000005
【図５】
0005378572.tif 000006